(57)【要約】【課題】便利な逆トグルキーの存在を知らないユーザが多く、機能が有効に利用されない傾向にある。【解決手段】キー４３には「さしすせそ」の５文字が割り当てられている。このキー４３の入力を連続５回受け付けることにより、「さ→し→す→せ→そ→さ」と文字の切り替えが一巡したタイミングの画面１００ｄに、逆トグルキー１４を案内するメッセージ１０６を表示する。【選択図】図６
2011135353.tif 000002
【特許請求の範囲】
【請求項１】
Ｎ個（Ｎは３以上の整数）の入力情報が割り当てられたキーを備え、
前記キーの入力を受け付けるたびに、前記Ｎ個の入力情報を１つずつ、所定の順序で循環的に切り替えて表示するとともに、
特定の操作を受け付けると、Ｎ個の入力情報を１つずつ、前記所定の順序とは逆の順序で循環的に切り替えて表示する携帯端末であって、
入力情報の切り替えが一巡したかどうかを検出する検出部と、
前記検出部により一巡したことが検出されると、前記特定の操作を示す情報をユーザに通知する通知部と
を備えることを特徴とする携帯端末。
【請求項２】
特定キーと表示部とを備え、
前記特定の操作とは、前記特定キーの入力操作であって、
前記通知部は、前記特定キーを示す情報を前記表示部の画面上に表示することによりユーザに通知することを特徴とする
請求項１に記載の携帯端末。
【請求項３】
前記通知部は、前記特定キーを示す情報の表示後、前記受付部により前記特定キーの入力が受け付けられると、前記表示を消去する
ことを特徴とする請求項２に記載の携帯端末。
【請求項４】
前記Ｎ個の入力情報は、
前記所定の順序が最初の先頭入力情報と、
前記所定の順序が最終の最終入力情報と、
を含み、
前記検出部は、前記最終入力情報から前記先頭入力情報への切り替わりを前記入力情報の切り替えの一巡として検出する
ことを特徴とする請求項１に記載の携帯端末。
【請求項５】
それぞれ複数個の入力情報が割り当てられた２以上のキーを備え、
前記２以上のキーのうちのいずれかのキーの入力を受け付けるたびに、当該キーに割り当てられた複数個の入力情報を１つずつ、所定の順序で循環的に切り替えて表示するとともに、
特定の操作を受け付けるたびに、前回入力された前記キーに割り当てられた複数個の入力情報を１つずつ、前記所定の順序とは逆の順序で循環的に切り替えて表示する携帯端末であって、
前記２以上のキーのうちのいずれかのキーの入力を受け付けることにより、入力情報の切り替えが一巡したかどうかを検出する検出部と、
前記検出部により検出された回数をカウントするカウンタと、
前記カウンタによりカウントされた回数が、所定回数を超えると、前記特定の操作を示す情報をユーザに通知する通知部と
を備えることを特徴とする携帯端末。
【請求項６】
前記入力情報は、文字、図形、数字若しくは記号のうちの少なくとも１つの種類の情報からなる、請求項１から５のいずれか１項に記載の携帯端末。
【請求項７】
前記通知部は、前記特定キーを示す情報の表示後、前記キーの入力が所定回数受け付けられると、前記表示を消去する、請求項２に記載の携帯端末。
【請求項８】
Ｎ個（Ｎは３以上の整数）の入力情報が割り当てられたキーを備える携帯端末に所定の処理を実行させるプログラムであって、
前記所定の処理は、
前記キーの入力を受け付けるたびに、前記Ｎ個の入力情報を１つずつ、所定の順序で循環的に切り替えて表示する第１表示ステップと、
特定の操作を受け付けると、Ｎ個の入力情報を１つずつ、前記所定の順序とは逆の順序で循環的に切り替えて表示する第２表示ステップと、
入力情報の切り替えが一巡したかどうかを検出する検出ステップと、
前記検出部により一巡したことが検出されると、前記特定の操作を示す情報をユーザに通知する通知ステップと
を含むことを特徴とするプログラム。
【請求項９】
それぞれ複数個の入力情報が割り当てられた２以上のキーを備える携帯端末に所定の処理を実行させるプログラムであって、
前記所定の処理は、
前記２以上のキーのうちのいずれかのキーの入力を受け付けるたびに、当該キーに割り当てられた複数個の入力情報を１つずつ、所定の順序で循環的に切り替えて表示する第１表示ステップと、
特定の操作を受け付けるたびに、前回入力された前記キーに割り当てられた複数個の入力情報を１つずつ、前記所定の順序とは逆の順序で循環的に切り替えて表示する第２表示ステップと、
前記２以上のキーのうちのいずれかのキーの入力を受け付けることにより、入力情報の切り替えが一巡したかどうかを検出する検出ステップと、
前記検出部により検出された回数をカウントするカウントステップと、
前記カウンタによりカウントされた回数が、所定回数を超えると、前記特定の操作を示す情報をユーザに通知する通知ステップと
を含むことを特徴とするプログラム。
【発明の詳細な説明】
【技術分野】
【０００１】
キーひとつあたりに複数の入力情報が割り当てられているキーを用いた情報入力を支援する技術に関する。
【背景技術】
【０００２】
従来から、携帯端末として例えば携帯電話機においては、ひとつのダイヤルキーには複数の文字が割り当てられている。
例えば、ダイヤルキー「１」には、大文字の「あ〜お」と小文字の「ぁ〜ぉ」との合計10文字が割り当てられている。
そして、かな文字入力モードにおいて、ユーザからダイヤルキー「１」の連続入力を受け付けると、「あ→い→う→え→お→ぁ→ぃ→ぅ→ぇ→ぉ→あ→い→・・・」と、ダイヤルキー「１」の入力のたびに、入力候補であるかな文字の表示を循環的に更新する方式（「めくり方式」と呼ばれる。）が知られている。
【０００３】
このような、めくり方式では、ユーザが入力しようとする文字によっては、同一のキーを何度も連打する必要がある。このため、ユーザがキーを押しすぎて入力したい文字を行き過ぎてしまうことがよくある。
このような場合を想定して、「逆トグルキー」が利用されている（特許文献１の段落００３４参照）。係る「逆トグルキー」は、「ぉ→ぇ→ぅ→ぃ→ぁ→お→え→う→い→あ→ぉ・・・」というように逆順に表示を更新するために用いられる。
【先行技術文献】
【特許文献】
【０００４】
【特許文献１】特開2004-310519号公報
【発明の概要】
【発明が解決しようとする課題】
【０００５】
上のような逆トグルキーは非常に便利なものであるが、その存在を知らないユーザも多く、せっかくの機能が有効に利用されていない。
本発明はこのような背景の下になされたものであって、適切な時機に逆トグルキーの存在をユーザに知らせることができる携帯端末を提供する。
【課題を解決するための手段】
【０００６】
本発明に係る携帯端末は、Ｎ個（Ｎは３以上の整数）の入力情報が割り当てられたキーを備え、前記キーの入力を受け付けるたびに、前記Ｎ個の入力情報を１つずつ、所定の順序で循環的に切り替えて表示するとともに、特定の操作を受け付けると、Ｎ個の入力情報を１つずつ、前記所定の順序とは逆の順序で循環的に切り替えて表示する携帯端末であって、入力情報の切り替えが一巡したかどうかを検出する検出部と、前記検出部により一巡したことが検出されると、前記特定の操作を示す情報をユーザに通知する通知部とを備えることを特徴とする。
【０００７】
また、特定キーと表示部とを備え、前記特定の操作とは、前記特定キーの入力操作であって、前記通知部は、前記特定キーを示す情報を前記表示部の画面上に表示することによりユーザに通知することを特徴とするとしても構わない。
また、前記通知部は、前記特定キーを示す情報の表示後、前記受付部により前記特定キーの入力が受け付けられると、前記表示を消去するとしても構わない。
【０００８】
また、前記Ｎ個の入力情報は、前記所定の順序が最初の先頭入力情報と、前記所定の順序が最終の最終入力情報と、を含み、前記検出部は、前記最終入力情報から前記先頭入力情報への切り替わりを前記入力情報の切り替えの一巡として検出するとしても構わない。
また、本発明に係る携帯端末は、それぞれ複数個の入力情報が割り当てられた２以上のキーを備え、前記２以上のキーのうちのいずれかのキーの入力を受け付けるたびに、当該キーに割り当てられた複数個の入力情報を１つずつ、所定の順序で循環的に切り替えて表示するとともに、特定の操作を受け付けるたびに、前回入力された前記キーに割り当てられた複数個の入力情報を１つずつ、前記所定の順序とは逆の順序で循環的に切り替えて表示する携帯端末であって、前記２以上のキーのうちのいずれかのキーの入力を受け付けることにより、入力情報の切り替えが一巡したかどうかを検出する検出部と、前記検出部により検出された回数をカウントするカウンタと、前記カウンタによりカウントされた回数が、所定回数を超えると、前記特定の操作を示す情報をユーザに通知する通知部とを備えることを特徴する。
【０００９】
また、前記入力情報は、文字、図形、数字若しくは記号のうちの少なくとも１つの種類の情報からなるとしても構わない。
また、前記通知部は、前記特定キーを示す情報の表示後、前記キーの入力が所定回数受け付けられると、前記表示を消去するとしても構わない。
また、本発明に係るプログラムは、Ｎ個（Ｎは３以上の整数）の入力情報が割り当てられたキーを備える携帯端末に所定の処理を実行させるプログラムであって、前記所定の処理は、前記キーの入力を受け付けるたびに、前記Ｎ個の入力情報を１つずつ、所定の順序で循環的に切り替えて表示する第１表示ステップと、特定の操作を受け付けると、Ｎ個の入力情報を１つずつ、前記所定の順序とは逆の順序で循環的に切り替えて表示する第２表示ステップと、入力情報の切り替えが一巡したかどうかを検出する検出ステップと、前記検出部により一巡したことが検出されると、前記特定の操作を示す情報をユーザに通知する通知ステップとを含むことを特徴とする。
【００１０】
また、本発明に係るプログラムは、それぞれ複数個の入力情報が割り当てられた２以上のキーを備える携帯端末に所定の処理を実行させるプログラムであって、前記所定の処理は、前記２以上のキーのうちのいずれかのキーの入力を受け付けるたびに、当該キーに割り当てられた複数個の入力情報を１つずつ、所定の順序で循環的に切り替えて表示する第１表示ステップと、特定の操作を受け付けるたびに、前回入力された前記キーに割り当てられた複数個の入力情報を１つずつ、前記所定の順序とは逆の順序で循環的に切り替えて表示する第２表示ステップと、前記２以上のキーのうちのいずれかのキーの入力を受け付けることにより、入力情報の切り替えが一巡したかどうかを検出する検出ステップと、前記検出部により検出された回数をカウントするカウントステップと、前記カウンタによりカウントされた回数が、所定回数を超えると、前記特定の操作を示す情報をユーザに通知する通知ステップとを含むことを特徴とする。
【発明の効果】
【００１１】
本発明に係る携帯端末によれば、適切な時機に逆トグルキーの存在をユーザに知らせることができる。
【図面の簡単な説明】
【００１２】
【図１】携帯電話機１の外観を示す図
【図２】文字の割り当て表
【図３】キー４３に割り当てられた文字とその順番を示す図
【図４】携帯電話機１の機能ブロック図
【図５】一巡検出から逆トグルキー案内に至る動作を示すフローチャート
【図６】逆トグルキー案内に係る画面の遷移を示す図
【図７】逆トグルキーを用いない入力（ユーザＡ）と逆トグルキーを用いた入力（ユーザＢ）の例を示す図
【図８】逆トグルキーを用いない入力（ユーザＡ）と逆トグルキーを用いた入力（ユーザＢ）の例を示す図
【図９】携帯電話機１の機能ブロック図
【図１０】一巡検出から逆トグルキー案内に至る動作を示すフローチャート
【図１１】逆トグルキー案内に係る画面の遷移を示す図
【図１２】発光による通知の例を示す図
【図１３】音声による通知の例を示す図
【図１４】逆トグルキー案内に係る画面の遷移を示す図
【発明を実施するための形態】
【００１３】
（実施の形態１）
本実施の形態について図面を用いて説明する。
＜構成＞
図１は、携帯電話機１の外観を示す図である。
携帯電話機１は、筐体は折り畳み式であり、筐体上部にディスプレイ２０、スピーカ２２を備え、筐体下部にキー部２を備える。
【００１４】
キー部２は、ダイヤルキー４、文字キー６、カーソルキー８、センターキー１０、記号キー１２、逆トグルキー１４、電源キー１６を備える。
ダイヤルキー４は、電話番号や文字の入力に用いるためのキーである。ダイヤルキーは１０個のキー４１〜５０から構成される。
文字キー６は、発呼に使用される。また、待受画面で文字キー６が長押しされると、文字入力モードを呼び出す。文字入力モードには、（Ａ）漢字・ひらがな、（Ｂ）英字、（Ｃ）数字の３種の文字種があり（図２参照）、文字キー６は、この文字種の切り替えにも使用される。
【００１５】
カーソルキー８は、カーソルを上下左右に移動するために使用されるキーである。
センターキー１０は、ドーナツ状をしたカーソルキー８の中央に配置されており、入力候補の文字の確定に使用されるキーである。
記号キー１２は、「＊」の入力に用いる。また、文字入力モード下においては記号や絵文字一覧表示のために用いられる。
【００１６】
逆トグルキー１４は、「＃」の入力に用いられる。また、文字入力モード下においては逆順に入力候補の文字を切り替えるために用いられる。
電源キー１６は、電源のオン／オフや通話の終了に用いる。また、文字入力モードから待受画面に戻るときに用いられる。
携帯電話機１のダイヤルキー４の各キー４１〜５０には、それぞれ複数の文字が割り当てられている。
【００１７】
図２に文字の割り当て表を示す。
図２の表６０に示すように、「文字種」６２には、「漢字・ひらがな」６４、「英字」６６、「数字」６８の３種類がある。この文字種は、文字キー６の入力により、「漢字・ひらがな」→「英字」→「数字」→「漢字・ひらがな」→「英字」・・・というように循環的に切り替わる。以下特記しない限り文字種は「漢字・ひらがな」であるとして説明する。
【００１８】
また、「キー」７０のキー４１〜５０は、割り当てられた文字に対応するキーである。
キー４３を例に挙げて説明すると、キー４３には、「さしすせそ」のさ行の５文字が「さ」から「そ」の順番で割り当てられている。
図３に示すように、キー４３が１回入力されると、「さ」（割り当てられた５文字の中で先頭文字）が入力候補として表示される。引き続いて、キー４３が４回入力されると、「さ→し→す→せ→そ」と、入力に応じて表示が切り替わり、「そ」（割り当てられた５文字の中で最終文字）が入力候補として表示される。
【００１９】
さらに続いて、キー４３が１回入力されると、「そ→さ」と表示が切り替わり、元の先頭文字である「さ」に戻る。
つまり、キー４３の場合は、初回入力後、続いて入力が５回繰り返されると（５回の連続入力があると）、「さ→し→す→せ→そ→さ」と文字の表示の切り替えが一巡することとなる。
【００２０】
続いて、携帯電話機１の機能ブロックについて説明する。
図４に示すように、携帯電話機１は、キー入力受付部８０、入力バッファ８１、変換候補検索部８２、辞書ＤＢ８４、一巡検出部８６、表示制御部８８を備える。なお、携帯電話機１は他にも、通話機能、メール機能（電子メールやショートメッセージサービスを含む。）、カメラ機能といった一般的な携帯電話機が備える機能を実現するための機能ブロックを有しているが、図示は省略する。
【００２１】
キー入力受付部８０は、キー部２のキー入力を受け付けるものであり、逆トグルキー１４の入力を受け付ける逆トグルキー入力受付部８０ａを含む。
入力バッファ８１は、キー入力受付部８０が受け付けたキー入力に応じて入力候補となる文字を一時的に格納する。
キー入力受付部８０は、文字入力モードにおいて、キー４１〜５０の入力の入力を受け付けると、キー４１〜５０のうちのどのキーであるかを特定し、特定されたキーに対応する文字を割り当て表（図２参照）に従って決定し、決定した文字を入力バッファ８１に格納する。
【００２２】
また、キー入力受付部８０は、直近にキー入力を受け付けた履歴を記憶しており、この履歴に基づいて前回と同じキーが入力されたかどうかを判定し、同じキーが入力されたと判定すると、割り当て表に基づいて、入力バッファ８１に格納された文字を切り替える。例えば、入力バッファ８１に格納された文字が「さ」である場合に、同じキー４３の入力を受け付けると、「さ」→「し」と切り替える。
【００２３】
キー入力受付部８０は、逆トグルキー入力受付部８０ａが逆トグルキー１４の入力を受け付けたときには、割り当て表に基づいて、入力バッファ８１に格納された文字を逆順で切り替える。例えば、入力バッファ８１に格納された文字が「し」ならば、「し」→「さ」と切り替える。
辞書ＤＢ８４は、変換を行うためのデータベースであり、読みと単語との対応付けや、過去に入力された文字列を記憶している。
【００２４】
変換候補検索部８２は、入力バッファ８１に格納された文字の変換候補を辞書ＤＢ８４から検索する。例えば、文字が「そ」の場合には、（１）読みが「そ」に完全一致する漢字（例えば「祖」）、（２）読みが「そ」に前方一致する漢字（例えば「底」）、(３)過去に入力された文字列で「そ」に前方一致する文字列（例えば、「そうです」）を検索する。
【００２５】
表示制御部８８は、ディスプレイ２０の表示を制御するものであり、入力バッファ８１に格納された文字を入力候補として表示させたり、変換候補検索部８２により検索された文字列を変換候補として表示させる。
一巡検出部８６は、文字入力モード下において入力バッファ８１に格納された文字（表示制御部８８が入力候補として表示させている文字に対応する。）およびキー入力受付部８０が受け付けたキーを監視し、キー４１〜５０のいずれかのキーが連続して入力されることで文字の切り替えが一巡したかどうかを検出する。
【００２６】
なお、上記したキー入力受付部８０、変換候補検索部８２、辞書ＤＢ８４、一巡検出部８６及び表示制御部８８は、ハードウェアとして、制御プログラムを格納するＲＯＭ、制御プログラムを実行するＣＰＵ、実行時の作業領域となるＲＡＭなどから構成することができる。
＜動作＞
次に、携帯電話機１における一巡検出から逆トグルキー案内に至る動作を図５を用いて説明する。
【００２７】
ステップＳ１１〜Ｓ１４までは、文字が割り当てられたキー４１〜５０について、その文字の切り替えが一巡したかどうかを検出するための処理であり、処理の主体は一巡検出部８６である。
一巡検出部８６は、キー入力受付部８０におけるキー入力受付の監視しており、キー４１〜５０の入力を判定すると、ステップＳ１２〜Ｓ１４の判定のために入力されたキーを一時的に記憶する（Ｓ１１：Ｙｅｓ）。
【００２８】
続いてステップＳ１１と同じキーが入力されたかどうかを判定する（Ｓ１２）。
同じキーの入力と判定すると（Ｓ１２：Ｙｅｓ）、入力バッファ８１に格納された文字がステップＳ１１のキーの最終文字であるかどうかを判定する（Ｓ１３）。例えば、ステップＳ１１がキー４３の入力ならば、ステップＳ１３ではキー４３に割り当てられた「さしすせそ」の中の最終文字「そ」を入力バッファが格納しているかどうかを判定する。
【００２９】
最終文字でないならば（Ｓ１３：Ｎｏ）、ステップＳ１２に戻る。
最終文字ならば（Ｓ１３：Ｙｅｓ）、続いてステップＳ１１と同じキーが入力されたかどうかを判定する（Ｓ１４）。
同じキーの入力と判定すると（Ｓ１４：Ｙｅｓ）、表示制御部８８は逆トグルキーの案内をディスプレイ２０に表示させる（Ｓ１５）。
【００３０】
つまり、図５に示されるフローチャートでは、ステップＳ１１、ステップＳ１２、ステップＳ１４において、キー入力がなされ、それぞれのステップでの判定処理がなされる。
なお、ステップＳ１２，Ｓ１４においてＮｏとなる条件は、ステップＳ１１で入力を判定したキーと、異なるキーの入力を判定した場合である。例えば、ステップＳ１１でキー４３の入力を判定したとすると、キー４３以外の別の９個のいずれかのキー４１，４２，４４〜５０の入力を判定した場合にＮｏとなる。また、センターキー１０が入力されるなどして、入力候補の文字が確定した場合や、電源キー１６が入力されるなどして、文字入力モードから抜け出て待受画面に戻った場合も同様にＮｏとなる。
【００３１】
続いて具体的な例を図６を用いて説明する。図６は、逆トグルキー案内に係る画面の遷移を示す図である。画面１００ａ〜１００ｅはそれぞれ本文欄１０２ａ〜１０２ｅを含む。また画面１００ｂ〜１００ｅはそれぞれ入力候補の文字の変換候補を示す候補欄１０４ｂ〜１０４ｅを含む。
ディスプレイ２０の画面１００ａでは本文欄１０２ａに「本日は」と入力されており、カーソル位置は「は」の後である（図６（ａ））。
【００３２】
画面１００ａにおいて、キー入力受付部８０がキー４３の入力を受け付けると「さ」を入力バッファ８１に格納する。そして、表示制御部８８は、入力バッファ８１に格納された「さ」を本文欄１０２ｂに含む画面１００ｂを表示させる。
続いて、キー入力受付部８０がキー４３の入力を４回連続して受け付けると、入力バッファ８１に格納された文字を「さ→し→す→せ→そ」と切り替え、これに伴い表示制御部８８は「さ→し→す→せ→そ」と入力候補の文字を切り替え、本文欄１０２ｃに「そ」を入力候補の文字として表示する画面１００ｃを表示させる。この４回目の入力により、入力バッファ８１に格納された文字は最終文字「そ」となる（図５，Ｓ１３：Ｙｅｓ）。
【００３３】
続いて、キー入力受付部８０がキー４３の入力を１回受け付けると、表示制御部８８は「そ→さ」と入力候補の文字を切り替える。この入力の時点で、一巡検出部８６は文字の切り替えの一巡を検出し（図５，Ｓ１４：Ｙｅｓ）、表示制御部８８は、候補欄１０４ｄに逆トグルキー１４で一つ戻れることを示すメッセージ１０６を表示する。
このようなメッセージ１０６を表示することにより、逆トグルキー１４を用いた効率の良い入力をユーザに促すことができる。
【００３４】
例えば、図７に示すように、「そ」を入力しようとして、キー４３を押し過ぎて「さ」まで行き過ぎてしまったユーザＡ，Ｂがいると考える。
ユーザＡの逆トグルキーを用いない入力のやり方では、行き過ぎた後さらにキー４３を５回連打して「さ→し→す→せ→そ」とする必要があり面倒である。
これに対して、ユーザＢの逆トグルキーを用いた入力のやり方では、逆トグルキー１４を１回押下するだけで「さ→そ」と目的の「そ」にたどり付ける。
【００３５】
本実施の形態によれば、文字の切り替えが一巡したときに、逆トグルキー１４の案内を表示することにより、逆トグルキー１４を用いた入力をユーザに促すことができ、ユーザの使い勝手の向上に貢献できる。
例えば、「さ→し→す→せ→そ→さ」と文字の切り替えが一巡した場合は、ユーザがキー４３を押し過ぎて「そ」（または「せ」）行き過ぎた可能性が高いと考えられ、まさに逆トグルキーがその機能を発揮できるタイミングであり、特にこのタイミングにおいて逆トグルキー１４の案内を表示することが効果的である。
【００３６】
また、一般に、携帯電話機における逆トグルキーは専用のキーが割り当てられることは少なく、他の文字等が割り当てられたキーに割り当てられていることが多い。本実施の形態によれば、逆トグルキーを、用いどころでユーザに案内できる。
なお、キーに割り当てられている文字の数が多ければ、逆トグルキーによるキータッチ削減の効果は特に顕著となる。図８に示すように、小文字の「ぉ」を入力しようとして、キー４１を押し過ぎて「あ」まで行き過ぎてしまったユーザＡ，Ｂがいると考える。ユーザＡの逆トグルキーを用いない入力のやり方では、行き過ぎた後にキー４１を余分に９回連打する必要があるのに対して、ユーザBの逆トグルキーを用いたやり方では、逆トグルキー１４をわずか１回押すだけで済む。
（実施の形態２）
実施の形態１では、一巡検出部８６が一巡を検出すると直ちに逆トグルキーの案内を表示していたが、本実施の形態２では、一巡を検出した回数をカウントし一定回数を越えた場合に案内を表示する。これにより、特に、キー４１〜５０の連打を繰り返すユーザをターゲットに逆トグルキーの案内を表示できる。
【００３７】
図９は、実施の形態２に係る携帯電話機１の機能ブロック図である。図４と同様なブロックには同じ符号を付して説明を省略する。
カウンタ９０は、一巡検出部８６が一巡を検出した回数をカウントする。
図１０は、一巡検出から逆トグルキー案内に至る動作を示すフローチャートである。図５と同様なステップには同じステップ番号を付し、異なる点を中心に説明する。
【００３８】
まず、一巡検出部８６はステップＳ１１〜Ｓ１４により文字の切り替えの一巡を検出すると（Ｓ１４：Ｙｅｓ）、カウンタ９０のカウント値をインクリメントする（Ｓ２１）。
カウント値が５以下であれば（Ｓ２２：Ｎｏ）、ステップＳ１１に戻る。
カウント値が５より大きければ（Ｓ２２：Ｙｅｓ）、表示制御部８８は、逆トグルキーの案内を表示し（Ｓ１５）、一巡検出部８６はカウンタ９０のカウント値をリセットする（Ｓ２３）。
【００３９】
なお、上記例ではカウント値の閾値は５回として説明したが５回に限らず任意の回数とすることができる。
また、案内表示以外のカウンタ９０のリセット条件として、例えば、逆トグルキー１４の押下を検出した場合にリセットしてもよい。押下を検出したということは逆トグルキー１４が利用されており（ユーザは逆トグルキー１４の使い方を知っており）、案内表示の必要性が低いためと考えられるからである。他にも、文字入力モードから抜け出た場合にリセットするようにしてもよい。
＜補足＞
以上、本発明の実施の形態について説明したが、本発明は上記の内容に限定されず、本発明の目的とそれに関連又は付随する目的を達成するための各種形態においても実施可能であり、例えば、以下であっても構わない。
（１）実施の形態では、図６（ｄ）に示すように、画面１００ｄの候補欄１０４ｄ内に、逆トグルキーを案内するメッセージ１０６を表示したが、これに限らず、図１１に示すように、画面１１０ａの本文欄１１２ａ内にポップアップのメッセージ１１６を表示するようにしてもよい（図１１（ａ））。
【００４０】
続いて逆トグルキー入力受付部８０ａが逆トグルキー１４の入力を受け付けると、メッセージ１１６の表示を消去（キャンセル）するようにすれば、本文欄１１２ｂの表示スペースを確保できる（図１１（ｂ））。
これに限らず、例えば表示から一定時間経過後（例えば、5秒）に、表示を消去するようにしても構わない。
（２）実施の形態では、画面上にメッセージを表示することにより逆トグルキーを案内したが、要は、ユーザがその五感で認識できる形であれば、画面表示に限られず様々な通知の方法を採ることができる。
【００４１】
具体的には、図１２に示すように、キー部２の各キーに備わるキーバックライト（例えば光源として３色ＬＥＤを用いる。）の内で、逆トグルキー１４のみをキーバックライト制御部９６により発光させるようにしてもよい。
また、各キーバックライトが常時点灯するタイプであれば、逆トグルキー１４の点灯色のみを他の色（例えば緑色）と異なる色（例えば赤色）に発光させるようにしてもよい。
【００４２】
また、図１３に示すように、スピーカ制御部９８によりスピーカ２２から「右下のシャープキーで『逆トグル』できます」などと音声で案内するようにしてもよい。
（３）実施の形態では、「漢字・ひらがな」の文字種を例に挙げて説明したが、文字種が「英字」であっても同様に実施することができる。
図１４に遷移する画面１２０ａ〜１２０ｅを示す。
【００４３】
図１４では、キー４３に割り当てられた「ｄｅｆＤＥＦ」が、「ｄ→ｅ→ｆ→Ｄ→Ｅ→Ｆ→ｄ」と文字の切り替えが一巡したタイミングの画面１２０ｄに、メッセージ１２６が表示されている。
（４）実施の形態では、ダイヤルキー４の各キー４１〜５０に割り当てられた文字数は５文字から１０文字の範囲であったが、最低３文字以上であれば逆トグルキーによりキータッチの回数を減らすことができ、実施の形態を有効に適用できる。
（５）実施の形態では、一巡検出部８６は、最終文字から先頭文字に切り替わる時点で一巡したと検出したが、これに限らず、例えば、「さ→し→す→せ→そ」のうちの「す」を起点として再び「す→せ→そ→さ→し→す」と再度「す」に達した時点で一巡したと検出するようにしてもよい。
（６）実施の形態では、携帯電話機１の逆トグルキー１４は、「＃」の位置を占めていたが、キー部２の他の位置（例えば文字キー６の位置）を占めていてもよい。
【００４４】
また、逆トグルキーのためのキーは、キー部２に物理的に備わっているキーに限らず、仮想キーボード（タッチスクリーン上に表示するキーボード）のキーであっても構わない。
また、逆トグルのための操作はキー操作に限らず、音声認識技術を利用した音声操作や、３軸加速度センサを利用した操作（携帯電話機の筐体を傾けたり揺するなど）であってもよい。
（７）実施の形態では、携帯端末の例として携帯電話機を取り上げて説明したが、携帯電話機に限らずＰＤＡ（Personal Digital Assistant）などの各種携帯端末に適用できる。
【００４５】
さらに携帯端末に限らず、１つのキーに複数の文字が割り当てられた入力インターフェイスを備える文字入力装置であれば、スキャン，プリント，コピーといった機能を備える複合機（MFP：Multifunction Peripheral）や、金融機関で用いられるATM（Automated Teller Machine）などにも適用し得る。
（８）実施の形態では、キーに文字（ひらがな・英字など）や数字が割り当てられた例を説明したが、これに限らず１つのキーに３個以上の入力情報が割り当てられていれば実施の形態を適用し得る。入力情報の他の例としては、図形や記号などがある。
（９）図１１では、逆トグルキーの受付を条件に、メッセージ１１６を消去するとして説明したが、これに代えて、例えば、キー４１〜５０が所定回数受け付けられたことを条件としてメッセージ１１６を消去するとしてもよい。
【産業上の利用可能性】
【００４６】
携帯端末の使い勝手の向上に貢献でき有用である。
【符号の説明】
【００４７】
１  携帯電話機（携帯端末の例）
２  キー部
４  ダイヤルキー
１４  逆トグルキー（特定キー）
２０  ディスプレイ
４３  キー（「さしそせそ」の５文字が割り当てられたキー）
８６  一巡検出部
８８  表示制御部
９０  カウンタ
９６  キーバックライト制御部
９８  スピーカ制御部
１０６，１１６，１２６  メッセージ
【図１】
2011135353.tif 000003
【図２】
2011135353.tif 000004
【図３】
2011135353.tif 000005
【図４】
2011135353.tif 000006
【図５】
2011135353.tif 000007
【図６】
2011135353.tif 000008
【図７】
2011135353.tif 000009
【図８】
2011135353.tif 000010
【図９】
2011135353.tif 000011
【図１０】
2011135353.tif 000012
【図１１】
2011135353.tif 000013
【図１２】
2011135353.tif 000014
【図１３】
2011135353.tif 000015
【図１４】
2011135353.tif 000016